(57)【要約】【課題】埋込形室内機の筐体の外面に付着する凝縮水を単純な矩形状のドレンパンで受けるようにし、筐体やドレンパンを簡単な構造で小型で比較的安価にできるようにする。【解決手段】モータ１１による遠心形の送風機１０の回転で吸入口６から室内の空気を吸入し、室内熱交換器９で冷暖房し、送風機１０で吹出口７から室内に吹き出す。筐体１の下方に配置するドレンパン２は単純な矩形状とするが、矩形状の筐体１の前面の左右両角部を切欠き、両切欠部３と背面に吊り金具４、５を取付け、吊り金具４の上方からの投影位置が筐体の切欠部内に収まる大きさとすることにより、冷房運転時に吹出口付近や吊り金具４が冷却されてこれらに付着する凝縮水を矩形状のドレンパンで受けるようにする。【選択図】  図１
2004293854.tif 000002
【特許請求の範囲】
【請求項１】
矩形状をなす箱体の前面側の左右角部を切欠いた形状とし、背面側に吸入口を、前面側に吹出口をそれぞれ設け、前記吸入口と前記吹出口とを結ぶ空気通路に熱交換器および送風機を設えた筐体と、前記切欠いた面に設けられ、上方からの投影位置が前記切欠部に収まる形状に形成された断面逆Ｌ字形の吊り金具と、前記筐体の下方に配置され、同筐体および前記吊り金具に付着した凝縮水を受ける矩形状のドレンパンとからなることを特徴とする空気調和機。
【発明の詳細な説明】
【０００１】
【発明の属する技術分野】
本発明は空気調和機に係り、埋込型（ダクトタイプ）の室内機の筐体に付着する凝縮水をドレンパンに受けるための構造に関する。
【０００２】
【従来の技術】
埋込型（ダクトタイプ）の空気調和機の室内機には、例えば、図２に示すように、筐体２１内に、室外機の圧縮機および室外熱交換器に接続されて冷媒回路を構成する室内熱交換器９と、背面の吸入口６から室内の空気を吸入して室内熱交換器９を通過させることにより熱交換させ、吹出口７から室内に吹出すための送風機１０（モータ１１で駆動される）とが設けられている。室内機は天井や壁面等に埋込んで設置されるが、室内機の筐体２１の内外で温度差が生じ、特に、外気温度が高い時期に冷房運転を行うと、吹き出される冷気により筐体２１の吹出口７の付近や前側の吊り金具２２等が冷やされ、室内の空気とで温度差が生じ、付近の空気中の水分が凝縮され、凝縮水が筐体２１の外面に付着する場合がある。これを防ぐため、例えば、図３に示す要部断面図の如く、筐体の天板部３１を外側天板３２とこれに対向する内側天板３３と、側板部３４を外側側板３５とこれに対向する内側側板３６とからなるそれぞれ二重構造とすることにより（内部に配置される室内熱交換器および送風機等は図示省略）、二重構造の内側に位置する内側天板３３や内側側板３６は冷やされるため、これらの外面には凝縮水が付着するが、これらに対向する外側天板３２や外側側板３５には、内側の各板と間隔が開いているためあまり冷やされず、外側面には殆ど凝縮水が付着しないものとなり、外側側板３５と内側側板３６の下端にドレンパン３８を配置することにより内側側板３６の外面に付着した凝縮水をドレンパン３８で受け、ドレンホース（図示せず）により排水するようにしたものがある（例えば、特許文献１参照）。なお、３７は内側天板３３上に溜まった凝縮水をドレンパン３８に落下させるための排水口である。
しかし、これは筐体およびドレンパンの構造が複雑で、コストがかかり、また、筐体を二重構造にするため外径寸法が大きくなるという問題があった。
【０００３】
【特許文献１】
特開２００２−１６２０５９号公報（第２−５頁、図１、図２、図３）
【０００４】
【発明が解決しようとする課題】
本発明は以上述べた問題点を解決し、筐体は単純な一重構造とし、筐体の外面には凝縮水が付着するが、これを矩形状のドレンパンで確実に受けるようにし、小型でかつ簡単な構造で比較的安価に構成できるようにした空気調和機を提供することを目的とする。
【０００５】
【課題を解決するための手段】
本発明は上述の課題を解決するため、矩形状をなす箱体の前面側の左右角部を切欠いた形状とし、背面側に吸入口を、前面側に吹出口をそれぞれ設け、前記吸入口と前記吹出口とを結ぶ空気通路に熱交換器および送風機を設えた筐体と、前記切欠いた面に設けられ、上方からの投影位置が前記切欠部に収まる形状に形成された断面逆Ｌ字形の吊り金具と、前記筐体の下方に配置され、同筐体および前記吊り金具に付着した凝縮水を受ける矩形状のドレンパンとから構成する。
【０００６】
【発明の実施の形態】
以下、図面に基づいて本発明による空気調和機を詳細に説明する。
図１は本発明による空気調和機の一実施例を示す図で、（イ）は一部破断面を含む要部上面図、（ロ）は要部正面図である。図の１は筐体、２はドレンパン、３は切欠部、４は前面側の断面逆Ｌ字形の吊り金具、５は背面側の断面逆Ｌ字形の吊り金具、６は吸入口、７は吹出口、８は電装部品箱、９は室内熱交換器、１０は送風機、１１はモータである。
【０００７】
上記構成において、次にその動作を説明する。室内機は天井や壁面等に埋込んで設置され、室内熱交換器９は冷媒配管により室外機の圧縮機および室外熱交換器に接続される。室内の空気は、モータ１１の駆動で回転する遠心形の送風機１０により筐体１の背面の吸入口６から吸入され、室内熱交換器９で冷却または加熱され、空気通路を通り、左右の遠心形の送風機１０に両側から吸い込まれ、それぞれの前方から吹出口７を通して吹き出され、図示しないダクトを経て室内に吹き出される。筐体１は矩形状の箱形であるが、前面側の左右の角部を切欠いた形状（切欠部３）とする。角部を切欠くことにより、室内熱交換器９を通った空気は切欠部３の内面で導かれることになり、澱みなく送風機１０に流入する。なお、電装部品箱８には室内機の制御回路等が収納されている。
【０００８】
室内機は、左右の切欠部３に取付けた吊り金具４と、背面の両側部に取付けた吊り金具５とにより桟等に吊り下げて設置する。室内機は冷暖房運転によって筐体１の内外で温度差が生じるが、特に、外気温度が高いとき冷房運転を行うと、吹き出される冷気により、筐体１の吹出口７の付近の温度が下がり、これにより前面に近い吊り金具４も冷却され、これらの部分で室内の空気とで温度差が生じる。このため、付近の空気中の水分が凝縮され、凝縮水が吹出口７の付近や吊り金具４等に付着し、付着量が増えると水滴となって落下する。
【０００９】
これらの凝縮水を受けるため、筐体１の下方にドレンパン２を配置し、ドレンホース（図示せず）を接続して排水する。ドレンパン２は矩形状に形成する。吊り金具４は筐体１の両角部の切欠部３に取付けるが、吊り金具４を上方から投影した場合の大きさが、切欠部３の三角形の中に収まる形状、すなわち、筐体１の前面の延長面および側面の延長面と前記切欠部３の面とからなる三角形の中に収まる形状とすることにより、吊り金具４から落下する凝縮水をドレンパン２で受けることができるので、ドレンパン２を単純な矩形状とすることができる。ドレンパン２は、筐体１の外形寸法に、筐体１の外面を伝わって落下する凝縮水が流入できる隙間を加えた大きさにすればよいので、室内機全体の大きさを小型にすることができ、かつ、筐体１共々簡単な構造で実施することができる。
【００１０】
【発明の効果】
以上に説明したように、本発明による空気調和機によれば、外気温度が高い時期に冷房運転を行ったとき、吹き出される冷気により筐体の吹出口付近や前面側の吊り金具が冷却され、室内の空気との温度差により凝縮水が生じるため、筐体の下方に凝縮水を受けるためのドレンパンを設けるのであるが、室内機の筐体を前面両側の角部を切欠いた形状にし、この左右の切欠部と背面の両側部に室内機を桟等に取付けるための吊り金具を取付けるようにし、吊り金具を上方から投影した場合の大きさが、切欠部の三角形の中、すなわち、筐体の前面の延長面および側面の延長面と前記切欠部の面とからなる三角形の中に収まる形状とすることにより、ドレンパンは、形状を矩形状とし、筐体の外形寸法に筐体の外面を伝わって落下する凝縮水が流入できる隙間を加えた大きさでよいので、ドレンパンを含めた筐体全体の大きさを小型にすることができ、かつ、ドレンパンは単純な矩形状でよく、筐体も結露防止のため従来例のような二重構造にする必要がないので、共に簡単な構造で比較的安価に実施することができる。
【図面の簡単な説明】
【図１】本発明による空気調和機の一実施例を示す図で、（イ）は一部破断面を含む要部上面図、（ロ）は要部正面図である。
【図２】従来の空気調和機の一例を示す要部上面図である。
【図３】従来の空気調和機の一例の筐体の要部断面図である。
【符号の説明】
１  筐体
２  ドレンパン
３  切欠部
４、５  吊り金具
６  吸入口
７  吹出口
８  電装部品箱
９  室内熱交換器
１０  遠心形の送風機
１１  モータ
２１  筐体
２２、２３  吊り金具
３１  天板部
３２  外側天板
３３  内側天板
３４  側板部
３５  外側側板
３６  内側側板
３７  排水口
３８  ドレンパン
【図１】
2004293854.tif 000003
【図２】
2004293854.tif 000004
【図３】
2004293854.tif 000005